(57)【要約】【課題】増幅器のＩｄｑドリフトに伴う送信信号の歪を改善すること。【解決手段】無線装置１０は、増幅器１５と、Ｉｄｑ検出部１７と、回復率推定部１８と、ゲート電圧制御部１９とを有する。増幅器１５は、入力される送信信号を増幅する。Ｉｄｑ検出部１７は、増幅器１５に送信信号が入力されない送信停止期間に増幅器１５のドレインに流れるアイドル電流を検出する。回復率推定部１８は、検出されるアイドル電流の値に基づいて、送信停止期間の終了時点における増幅器１５のＩｄｑドリフトの回復率を推定する。ゲート電圧制御部１９は、増幅器１５のドレインに流れるアイドル電流の値を規定値に保つための所定のゲート電圧を増幅器１５に印加する。そして、ゲート電圧制御部１９は、送信停止期間において回復率が所定値未満である場合に、アイドル電流の値が規定値に達するまで、増幅器１５に印加されるゲート電圧を上昇させる。【選択図】図２
2017212478.tif 000002
【特許請求の範囲】
【請求項１】
入力される送信信号を増幅する増幅器と、
前記増幅器に送信信号が入力されない送信停止期間に前記増幅器のドレインに流れるアイドル電流を検出する検出部と、
前記検出部により検出される前記アイドル電流の値に基づいて、前記送信停止期間の終了時点における前記増幅器のＩｄｑドリフトの回復率を推定する推定部と、
前記増幅器のドレインに流れるアイドル電流の値を規定値に保つための所定のゲート電圧を前記増幅器に印加し、前記送信停止期間において前記推定部により推定される前記回復率が所定値未満である場合に、前記検出部により検出される前記アイドル電流の値が前記規定値に達するまで、前記増幅器に印加されるゲート電圧を上昇させる制御部と
を有することを特徴とする無線装置。
【請求項２】
前記制御部は、
前記送信停止期間において前記回復率が前記所定値未満である場合に、当該回復率に応じたタイミングで、前記ゲート電圧の上昇を開始することを特徴とする請求項１に記載の無線装置。
【請求項３】
前記制御部は、
前記送信停止期間において前記回復率が前記所定値以上である場合に、前記ゲート電圧の上昇を行わないことを特徴とする請求項１又は２に記載の無線装置。
【請求項４】
前記送信停止期間の期間長は、前記送信信号の種別に応じて、異なり、
前記推定部は、
前記送信信号の種別に応じた前記送信停止期間の期間長を示す期間長情報を取得し、前記検出部により検出される前記アイドル電流の値を前記送信停止期間に含まれる所定の２つの時点において測定し、前記２つの時点に対応する２つの前記アイドル電流の値に基づいて前記アイドル電流の予測線を導出し、当該予測線と前記期間長情報に基づく前記送信停止期間の期間長とを用いて前記送信停止期間の終了時点における前記アイドル電流の値を予測し、予測した前記アイドル電流の値を前記規定値で除算することによって、前記回復率を推定することを特徴とする請求項１〜３のいずれか一つに記載の無線装置。
【発明の詳細な説明】
【技術分野】
【０００１】
本発明は、無線装置に関する。
【背景技術】
【０００２】
一般に、信号を無線送信する無線装置には、送信信号を増幅する増幅器が設けられる。増幅器には、例えば、効率の高いＧａＮ（窒化ガリウム）デバイスを用いて構成されるものがあり、所定のゲート電圧を印加することにより、増幅器のドレインに流れるアイドル電流の値を規定値に保つことが可能になっている。
【０００３】
ところで、例えば無線通信システムにおいては、基地局装置と移動端末装置とによる無線通信が時分割で行われる時分割多重（ＴＤＤ：Time  Division  Duplex）方式が採用されることがある。ＴＤＤ方式では、基地局装置及び移動端末装置がそれぞれ間欠送信を行うため、互いの送信が同時に発生せず、一方の装置が信号を送信する間は、他方の装置がこの信号を受信する。
【０００４】
このような間欠送信が実行される場合、無線装置の増幅器では、ドレインに流れるアイドル電流Ｉｄｑが規定値よりも低下するＩｄｑドリフトと呼ばれる現象が生じる。すなわち、無線装置が送信信号を送信する期間（以下「送信期間」と呼ぶ）では、増幅器に大電力の信号が入力されるので、増幅器のドレインに所定の電流が流れる。そして、無線装置が送信信号を送信しない期間（以下「送信停止期間」と呼ぶ）では、増幅器のドレインに流れるアイドル電流Ｉｄｑは、規定値よりも低い値となる。増幅器のドレインに流れるアイドル電流Ｉｄｑは、時間の経過と共に徐々に回復し、やがて規定値に戻る。このようなＩｄｑドリフトが発生すると、増幅器のゲインが変動し、増幅器の入出力特性が変化する。その結果、増幅器から出力された信号に含まれる歪が増大する。
【０００５】
なお、Ｉｄｑドリフトを抑制するために、例えば、送信信号が増幅されたときの増幅器のドレイン電流を測定し、測定されたドレイン電流の値をフィードバックする技術が知られている。このような技術では、フィードバックされたドレイン電流の値に基づいて、増幅器のゲート電圧を制御することで、増幅器のゲインの変動が抑制される。
【先行技術文献】
【特許文献】
【０００６】
【特許文献１】特開２０１３−９２００号公報
【特許文献２】特開２０１３−２４７５０１号公報
【発明の概要】
【発明が解決しようとする課題】
【０００７】
しかしながら、ＴＤＤ方式における間欠送信を実行する場合、従来技術のようにゲート電圧が制御されたとしても、増幅器のドレインに流れるアイドル電流Ｉｄｑが規定値に完全に戻る前に送信期間が開始されることがある。
【０００８】
図１は、ＴＤＤ方式における間欠送信が実行される場合のＩｄｑドリフトの説明に供する図である。例えば、増幅器に入力される信号が無くなる時刻（つまり、送信停止期間の開始時点）ｔ１において、増幅器のドレインに流れるアイドル電流Ｉｄｑは、規定値Ｉｄｑ０よりも低い値となり、Ｉｄｑドリフトが発生する。そして、増幅器のドレインに流れるアイドル電流Ｉｄｑは、例えば曲線５１に示すように、時間の経過と共に規定値Ｉｄｑ０に向けて徐々に増加（回復）する。そして、時刻（つまり、送信停止期間の終了時点）ｔ２において、アイドル電流Ｉｄｑが規定値Ｉｄｑ０に完全に戻っていないにも関わらず、送信停止期間の次の送信期間が開始され、増幅器に大電力の信号が入力される。
【０００９】
このように、間欠送信を実行する無線装置においては、増幅器のアイドル電流Ｉｄｑが規定値Ｉｄｑ０に完全に戻る前に送信期間が開始される結果、Ｉｄｑドリフトが完全に回復していない状態で、増幅器に大電力の信号が入力される。そのため、増幅器から出力される信号は、Ｉｄｑドリフトに伴う歪を含む信号となる。
【００１０】
開示の技術は、上記に鑑みてなされたものであって、増幅器のＩｄｑドリフトに伴う送信信号の歪を改善することができる無線装置を提供することを目的とする。
【課題を解決するための手段】
【００１１】
本願の開示する無線装置は、一つの態様において、増幅器と、検出部と、推定部と、制御部とを有する。前記増幅器は、入力される送信信号を増幅する。前記検出部は、前記増幅器に送信信号が入力されない送信停止期間に前記増幅器のドレインに流れるアイドル電流を検出する。前記推定部は、前記検出部により検出される前記アイドル電流の値に基づいて、前記送信停止期間の終了時点における前記増幅器のＩｄｑドリフトの回復率を推定する。前記制御部は、前記増幅器のドレインに流れるアイドル電流の値を規定値に保つための所定のゲート電圧を前記増幅器に印加する。そして、前記制御部は、前記送信停止期間において前記推定部により推定される前記回復率が所定値未満である場合に、前記検出部により検出される前記アイドル電流の値が前記規定値に達するまで、前記増幅器に印加されるゲート電圧を上昇させる。
【発明の効果】
【００１２】
本願の開示する無線装置の一つの態様によれば、増幅器のＩｄｑドリフトに伴う送信信号の歪を改善することができるという効果を奏する。
【図面の簡単な説明】
【００１３】
【図１】図１は、ＴＤＤ方式における間欠送信が実行される場合のＩｄｑドリフトの説明に供する図である。
【図２】図２は、実施例の無線装置の一例を示すブロック図である。
【図３】図３は、送信信号の種別と、送信停止期間の期間長Δｔ［ｍｓ］とを対応付けた対応テーブルの一例を示す図である。
【図４】図４は、実施例のゲート電圧制御処理の説明に供する図である。
【図５】図５は、実施例のゲート電圧制御処理の流れの一例を示すフロー図である。
【図６】図６は、無線装置のハードウェア構成例を示す図である。
【発明を実施するための形態】
【００１４】
以下に、本願の開示する無線装置の実施例を図面に基づいて詳細に説明する。なお、この実施例により開示技術が限定されるものではない。また、実施例において同一の機能を有する構成には同一の符号を付し、重複する説明は省略される。
【実施例】
【００１５】
図２は、実施例の無線装置の一例を示すブロック図である。図２において、無線装置１０は、通信制御部１１と、送信信号生成部１２と、ＤＡＣ（Digital  to  Analog  Converter）１３と、直交変調器１４と、増幅器１５と、ドレイン電源１６と、Ｉｄｑ検出部１７と、回復率推定部１８と、ゲート電圧制御部１９とを有する。以下においては、無線装置１０は、ＴＤＤ方式を採用する無線通信システムで使用されるものとする。すなわち、無線装置１０は、間欠的に信号を送信するとともに、非送信時には信号を受信する。
【００１６】
通信制御部１１は、ＴＤＤ方式における、「送信期間」及び「送信停止期間」の各期間の期間長、開始タイミング及び終了タイミングを制御する。「送信期間」は、無線装置１０が送信信号を送信する期間であり、「送信停止期間」は、無線装置１０が送信信号を送信しない期間である。「送信停止期間」の期間長は、送信信号の種別に応じて、異なる。例えば、通信制御部１１は、図３に示すように、送信信号の種別と、送信停止期間の期間長Δｔ［ｍｓ］とを対応付けた対応テーブルを保持し、この対応テーブルを用いて、送信信号の種別に応じた送信停止期間の期間長を制御する。そして、通信制御部１１は、「送信期間」及び「送信停止期間」の各期間の期間長、開始タイミング及び終了タイミングを示す情報を送信信号生成部１２、回復率推定部１８及びゲート電圧制御部１９へ出力する。
【００１７】
送信信号生成部１２は、送信期間において、送信データの符号化等の所定のベースバンド送信処理を実行してベースバンドの送信信号を生成し、生成したベースバンドの送信信号をＤＡＣ１３へ出力する。
【００１８】
ＤＡＣ１３は、送信信号生成部１２から出力された送信信号をＤＡ変換し、得られたアナログの送信信号を直交変調器１４へ出力する。
【００１９】
直交変調器１４は、ＤＡＣ１３から出力された送信信号をアップコンバートし、得られた無線周波数の送信信号を増幅器１５へ出力する。
【００２０】
増幅器１５は、送信期間において、ドレイン電源１６から印加される電源電圧を用いて、直交変調器１４から出力される無線信号を増幅し、増幅された無線信号をアンテナへ向けて出力する。なお、送信停止期間では、送信信号生成部１２は、送信信号を出力しない。そのため、送信停止期間では、増幅器１５に送信信号が入力されない。本実施例において、増幅器１５は、例えばＧａＮ等の窒化物半導体素子である。ＴＤＤ方式における間欠送信が実行される場合、増幅器１５では、ドレインに流れるアイドル電流Ｉｄｑが規定値よりも低下するＩｄｑドリフトが発生する。すなわち、送信期間では、増幅器１５に大電力の送信信号が入力されるので、増幅器のドレインに所定の電流が流れる。そして、送信停止期間では、増幅器のドレインに流れるアイドル電流Ｉｄｑは、規定値よりも低い値となる。増幅器のドレインに流れるアイドル電流Ｉｄｑは、時間の経過と共に徐々に回復し、やがて規定値に戻る。
【００２１】
ドレイン電源１６は、増幅器１５のドレインに電源電圧を印加する。
【００２２】
Ｉｄｑ検出部１７は、送信停止期間に増幅器１５のドレインに流れるドレイン電流であるアイドル電流Ｉｄｑを検出する。Ｉｄｑ検出部１７により検出されるアイドル電流Ｉｄｑの値は、回復率推定部１８及びゲート電圧制御部１９へ出力される。
【００２３】
回復率推定部１８は、Ｉｄｑ検出部１７により検出されるアイドル電流Ｉｄｑの値を用いて、送信停止期間の終了時点における増幅器１５のＩｄｑドリフトの回復率（以下適宜「Ｉｄｑ回復率」と呼ぶ）を推定する。Ｉｄｑ回復率は、送信停止期間の終了時点におけるアイドル電流Ｉｄｑの、規定値に対する比率を示す。
【００２４】
ゲート電圧制御部１９は、増幅器１５のドレインに流れるアイドル電流Ｉｄｑの値を規定値に保つための所定のゲート電圧を増幅器１５に印加する。また、ゲート電圧制御部１９は、送信停止期間において回復率推定部１８により推定されるＩｄｑ回復率が所定値未満であるか否かを判定する。そして、ゲート電圧制御部１９は、Ｉｄｑ回復率が所定値未満である場合に、Ｉｄｑ検出部１７により検出されるアイドル電流Ｉｄｑの値が規定値に達するまで、増幅器１５に印加されるゲート電圧を上昇させる。このとき、ゲート電圧制御部１９は、Ｉｄｑ回復率に応じた開始タイミングで、ゲート電圧の上昇を開始する。
【００２５】
次に、上記のように構成された無線装置１０におけるゲート電圧制御処理について、図４を参照しながら、具体的に例を挙げて説明する。図４は、実施例のゲート電圧制御処理の説明に供する図である。図４に示すゲート電圧制御処理は、主として回復率推定部１８及びゲート電圧制御部１９によって実行される。
【００２６】
初期状態では、増幅器１５のドレインに流れるアイドル電流Ｉｄｑの値を規定値Ｉｄｑ０に保つための所定のゲート電圧Ｖｇ０が、ゲート電圧制御部１９によって増幅器１５に印加される。このため、増幅器１５に送信信号が入力されていない場合、増幅器１５のドレインに流れるアイドル電流Ｉｄｑの値は、例えば図４に示すように、規定値Ｉｄｑ０に保たれる。そして、時刻ｔ０において送信期間が開始されると、増幅器１５に大電力の送信信号が入力されるので、増幅器１５のドレインには、所定の電流が流れる。そして、増幅器１５に入力される送信信号が無くなる時刻（つまり、送信停止期間の開始時点）ｔ１において、増幅器１５のドレインに流れるアイドル電流Ｉｄｑは、規定値Ｉｄｑ０よりも低い値となり、Ｉｄｑドリフトが発生する。そして、増幅器１５のドレインに流れるアイドル電流Ｉｄｑは、例えば曲線６１に示すように、時間の経過と共に徐々に増加（回復）する。
【００２７】
このような状況の下で、本実施例では、回復率推定部１８が、Ｉｄｑ検出部１７により検出されるアイドル電流Ｉｄｑの値を用いて、Ｉｄｑ回復率Ｉｄｒを推定する。Ｉｄｑ回復率Ｉｄｒの推定は、以下のように行われる。すなわち、回復率推定部１８は、送信信号の種別に応じた送信停止期間の期間長Δｔを示す期間長情報を通信制御部１１から取得する。そして、回復率推定部１８は、Ｉｄｑ検出部１７により検出されるアイドル電流Ｉｄｑの値を送信停止期間に含まれる所定の２つの時点において測定する。送信停止期間に含まれる所定の２つの時点としては、例えば図４に例示されるように、送信停止期間の開始時点である時刻ｔ１、並びに、時刻ｔ１から時間Δｔ／２だけ経過した時刻（ｔ１＋Δｔ／２）が用いられる。
【００２８】
そして、回復率推定部１８は、２つの時点に対応する２つのアイドル電流Ｉｄｑの値に基づいてアイドル電流Ｉｄｑの予測線を導出する。図４の例では、回復率推定部１８によって、２つの時点ｔ１，（ｔ１＋Δｔ／２）に対応する２つのアイドル電流Ｉｄｑの値Ｉｄ１，Ｉｄ２に基づいてアイドル電流Ｉｄｑの予測線６２が導出される。
【００２９】
そして、回復率推定部１８は、予測線と期間長情報に基づく送信停止期間の期間長Δｔとを用いて、送信停止期間の終了時点ｔ２におけるアイドル電流Ｉｄｑの値Ｉｄｑ´を予測する。図４の例では、送信停止期間の終了時点ｔ２におけるアイドル電流Ｉｄｑの値Ｉｄｑ´は、以下の式（１）によって表される。
Ｉｄｑ´＝｛（Ｉｄ２−Ｉｄ１）／（Δｔ／２）｝・Δｔ＋Ｉｄ１  ・・・  （１）
【００３０】
そして、回復率推定部１８は、予測したアイドル電流Ｉｄｑの値Ｉｄｑ´を規定値Ｉｄｑ０で除算することによって、Ｉｄｑ回復率Ｉｄｒを推定する。Ｉｄｑ回復率Ｉｄｒは、以下の式（２）によって表される。
Ｉｄｒ＝（Ｉｄｑ´／Ｉｄｑ０）・１００  ・・・  （２）
【００３１】
ゲート電圧制御部１９は、送信停止期間において回復率推定部１８により推定されるＩｄｑ回復率Ｉｄｒが所定値（例えば１００％）未満であるか否かを判定する。図４の例では、Ｉｄｑ回復率Ｉｄｒが１００％未満である場合、すなわち、予測線６２と期間長情報に基づく送信停止期間の期間長Δｔとを用いて予測されるアイドル電流Ｉｄｑの値Ｉｄｑ´が規定値Ｉｄｑ０に達していない場合を示している。この場合、ゲート電圧制御部１９は、Ｉｄｑ回復率Ｉｄｒに応じた開始タイミングで、ゲート電圧Ｖｇｓの上昇を開始する。例えば、ゲート電圧制御部１９は、Ｉｄｑ回復率Ｉｄｒが低いほど送信停止期間の開始時点ｔ１からゲート電圧Ｖｇｓの上昇の開始タイミングまでの待機時間Δｔ´が短くなるように、待機時間Δｔ´を決定する。そして、ゲート電圧制御部１９は、決定した待機時間Δｔ´だけ待機した後に、ゲート電圧Ｖｇｓの上昇を開始する。そして、ゲート電圧制御部１９は、Ｉｄｑ検出部１７により検出されるアイドル電流Ｉｄｑの値が規定値Ｉｄｑ０に達するまで、増幅器１５に印加されるゲート電圧Ｖｇｓを徐々に上昇させる。図４の例では、ゲート電圧制御部１９は、増幅器１５に印加されるゲート電圧Ｖｇｓを、所定のステップ電圧ずつ段階的に上昇させる。これにより、送信停止期間の終了時点ｔ２において、増幅器１５のドレインに流れるアイドル電流Ｉｄｑが規定値Ｉｄｑ０に完全に戻った状態で、送信停止期間の次の送信期間が開始される。すなわち、Ｉｄｑドリフトが完全に回復した状態で、増幅器１５に大電力の送信信号が入力される。そのため、増幅器１５のＩｄｑドリフトに伴う送信信号の歪が改善される。
【００３２】
次に、無線装置１０におけるゲート電圧制御処理の流れの一例について、図５のフロー図を参照しながら、説明する。図５は、実施例のゲート電圧制御処理の流れの一例を示すフロー図である。図５に示すゲート電圧制御処理は、主として回復率推定部１８及びゲート電圧制御部１９によって実行される。また、図５に示すゲート電圧制御処理は、例えば無線装置１０における送信期間が開始されることにより、開始される。また、図５に示すゲート電圧制御処理の初期状態では、増幅器１５のドレインに流れるアイドル電流Ｉｄｑの値を規定値Ｉｄｑ０に保つための所定のゲート電圧Ｖｇ０が、ゲート電圧制御部１９によって増幅器１５に印加されているものとする。
【００３３】
まず、ゲート電圧を徐々に上昇させるための変数ｎの値が１にクリアされる（ステップＳ１０１）。送信期間が終了すると、送信停止期間の開始タイミングを示す情報が回復率推定部１８へ通知される（ステップＳ１０２）。この通知を受けると、回復率推定部１８は、期間長情報を通信制御部１１から取得し、送信信号の種別に応じた送信停止期間の期間長Δｔを確認する（ステップＳ１０３）。
【００３４】
回復率推定部１８は、Ｉｄｑ検出部１７により検出されるアイドル電流Ｉｄｑの値を送信停止期間に含まれる所定の２つの時点において測定する（ステップＳ１０４）。そして、回復率推定部１８は、２つの時点に対応する２つのアイドル電流Ｉｄｑの値に基づいてアイドル電流Ｉｄｑの予測線を導出する。そして、回復率推定部１８は、予測線と期間長情報に基づく送信停止期間の期間長Δｔとを用いて、送信停止期間の終了時点におけるアイドル電流Ｉｄｑの値Ｉｄｑ´を予測する。そして、回復率推定部１８は、予測したアイドル電流Ｉｄｑの値Ｉｄｑ´を規定値Ｉｄｑ０で除算することによって、Ｉｄｑ回復率Ｉｄｒを推定する（ステップＳ１０５）。
【００３５】
ゲート電圧制御部１９は、回復率推定部１８により推定されるＩｄｑ回復率が１００％未満であるか否かを判定する（ステップＳ１０６）。回復率推定部１８により推定されるＩｄｑ回復率が１００％以上である場合（ステップＳ１０６Ｎｏ）、送信停止期間の終了時点においてＩｄｑドリフトが完全に回復するので、ゲート電圧制御部１９は、増幅器１５のゲート電圧Ｖｇｓの上昇を行わない。したがって、送信期間の開始タイミングを示す情報の通知が待機され（ステップＳ１０７）、送信期間の開始タイミングを示す情報の通知が無い間は（ステップＳ１０７Ｎｏ）、ゲート電圧Ｖｇｓが所定のゲート電圧Ｖｇ０に維持される。そして、送信期間の開始タイミングを示す情報の通知があると（ステップＳ１０７Ｙｅｓ）、ゲート電圧制御処理が終了される。
【００３６】
一方、ゲート電圧制御部１９は、回復率推定部１８により推定されるＩｄｑ回復率が１００％未満である場合（ステップＳ１０６Ｙｅｓ）、Ｉｄｑ回復率に応じて、ゲート電圧Ｖｇｓの上昇の開始タイミングを決定する（ステップＳ１０８）。例えば、ゲート電圧制御部１９は、Ｉｄｑ回復率が低いほど送信停止期間の開始時点からゲート電圧Ｖｇｓの上昇の開始タイミングまでの待機時間Δｔ´が短くなるように、待機時間Δｔ´を決定する。
【００３７】
そして、ゲート電圧制御部１９は、決定した待機時間Δｔ´だけ待機する（ステップＳ１０９）。待機時間Δｔ´が経過すると、ゲート電圧制御部１９によって、Ｉｄｑ検出部１７により検出されるアイドル電流Ｉｄｑの値が規定値Ｉｄｑ０に達したか否かが判定される（ステップＳ１１０）。ステップＳ１１０の判定の結果、Ｉｄｑ検出部１７により検出されるアイドル電流Ｉｄｑの値が規定値Ｉｄｑ０に達した場合は（ステップＳ１１０Ｙｅｓ）、処理はステップＳ１０７に移行される。
【００３８】
一方、Ｉｄｑ検出部１７により検出されるアイドル電流Ｉｄｑの値が規定値Ｉｄｑ０に達していない場合は（ステップＳ１１０Ｎｏ）、ゲート電圧制御部１９は、ゲート電圧Ｖｇｓの上昇を開始する（ステップＳ１１１）。具体的には、ゲート電圧Ｖｇｓは、以下の式（３）によって表される。
Ｖｇｓ＝Ｖｇ０＋ｎ・ΔＶ  ・・・  （３）
【００３９】
なお、式（３）において、ΔＶは、ゲート電圧を段階的に上昇させる際のステップ電圧を示す。ここでは、変数ｎが１であるため、ゲート電圧Ｖｇｓが所定のゲート電圧ΔＶｇ０よりもΔＶだけ高い電圧となる。
【００４０】
このようにゲート電圧が制御された後、ゲート電圧制御部１９によって、Ｉｄｑ検出部１７により検出されるアイドル電流Ｉｄｑの値が規定値Ｉｄｑ０に達したか否かが判定される（ステップＳ１１２）。ステップＳ１１２の判定の結果、Ｉｄｑ検出部１７により検出されるアイドル電流Ｉｄｑの値が規定値Ｉｄｑ０に達していない場合は（ステップＳ１１２Ｎｏ）、変数ｎが１インクリメントされる（ステップＳ１１３）。この結果、上式（３）によって算出されるゲート電圧Ｖｇｓがｎ・ΔＶだけ上昇し、上昇したゲート電圧Ｖｇｓが増幅器１５に印加される（ステップＳ１１１）。以下、Ｉｄｑ検出部１７により検出されるアイドル電流Ｉｄｑの値が規定値Ｉｄｑ０に達するまでは、ゲート電圧Ｖｇｓがステップ電圧ΔＶずつ上昇する。
【００４１】
一方、ステップＳ１１２の判定の結果、Ｉｄｑ検出部１７により検出されるアイドル電流Ｉｄｑの値が規定値Ｉｄｑ０に達した場合は（ステップＳ１１２Ｙｅｓ）、送信期間の開始タイミングを示す情報の通知が待機される（ステップＳ１１４）。送信期間の開始タイミングを示す情報の通知が無い間は（ステップＳ１１４Ｎｏ）、ゲート電圧Ｖｇｓが（Ｖｇ０＋ｎ・ΔＶ）に維持される。
【００４２】
そして、送信期間の開始タイミングを示す情報の通知があると（ステップＳ１１４Ｙｅｓ）、ゲート電圧Ｖｇｓは、所定のゲート電圧Ｖｇ０に戻され（ステップＳ１１５）、ゲート電圧制御処理が終了される。
【００４３】
以上のように本実施例によれば、送信停止期間の終了時点における増幅器１５のＩｄｑドリフトの回復率（つまり、Ｉｄｑ回復率）が所定値未満である場合に、アイドル電流Ｉｄｑの値が規定値Ｉｄｑ０に達するまで、増幅器１５に印加されるゲート電圧を上昇させる。これにより、送信停止期間の終了時点において、増幅器１５のドレインに流れるアイドル電流Ｉｄｑが規定値Ｉｄｑ０に完全に戻った状態で、送信停止期間の次の送信期間が開始される。すなわち、Ｉｄｑドリフトが完全に回復した状態で、増幅器１５に大電力の送信信号が入力される。そのため、増幅器１５のＩｄｑドリフトに伴う送信信号の歪が改善される。
【００４４】
また、本実施例によれば、送信停止期間においてＩｄｑ回復率が所定値未満である場合に、Ｉｄｑ回復率に応じた開始タイミングで、ゲート電圧の上昇を開始する。これにより、最適な開始タイミングでゲート電圧の上昇が開始されるので、ゲート電圧の制御に伴う消費電力の増大が抑制される。
【００４５】
［他の実施例］
実施例で図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００４６】
さらに、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしてもよい。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしてもよい。
【００４７】
実施例の無線装置は、例えば、次のようなハードウェア構成により実現することができる。
【００４８】
図６は、無線装置のハードウェア構成例を示す図である。図６に示すように、無線装置１００は、プロセッサ１０１と、メモリ１０２と、電流センサ１０３と、電源回路１０４と、ＲＦ回路１０５とを有する。プロセッサ１０１の一例としては、ＣＰＵ、ＤＳＰ（Digital  Signal  Processor）、ＦＰＧＡ（Field  Programmable  Gate  Array）等が挙げられる。また、メモリ１０２の一例としては、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。
【００４９】
そして、実施例の無線通信装置で行われる各種処理機能は、不揮発性記憶媒体などの各種メモリに格納されたプログラムをプロセッサで実行することによって実現してもよい。すなわち、通信制御部１１、送信信号生成部１２、回復率推定部１８及びゲート電圧制御部１９によって実行される各処理に対応するプログラムがメモリ１０２に記録され、各プログラムがプロセッサ１０１で実行されてもよい。ＤＡＣ１３、直交変調器１４及び増幅器１５は、ＲＦ回路１０５によって実現される。また、Ｉｄｑ検出部１７は、電流センサ１０３によって実現される。また、ドレイン電源１６は、電源回路１０４によって実現される。
【符号の説明】
【００５０】
１０  無線装置
１１  通信制御部
１２  送信信号生成部
１３  ＤＡＣ
１４  直交変調器
１５  増幅器
１６  ドレイン電源
１７  Ｉｄｑ検出部
１８  回復率推定部
１９  ゲート電圧制御部
【図１】
2017212478.tif 000003
【図２】
2017212478.tif 000004
【図３】
2017212478.tif 000005
【図４】
2017212478.tif 000006
【図５】
2017212478.tif 000007
【図６】
2017212478.tif 000008